(57)【特許請求の範囲】
【請求項１】
複数の送信信号に対してそれぞれ異なる拡散符号を用いた拡散処理を行う第１拡散手段と、既知信号に対して前記拡散符号と異なる拡散符号を用いて所定の拡散率で拡散処理を行う第２拡散手段と、前記第２拡散手段により拡散処理された前記既知信号を複数のチップに分解した後に周波数分割多重することにより各チップに分解された前記既知信号を周波数軸方向に配列された前記拡散率と同じ数の各サブキャリアに配置するとともに、前記第１拡散手段により拡散処理された前記送信信号を周波数分割多重することにより各サブキャリアに配置する周波数分割多重手段と、前記周波数分割多重手段にて各サブキャリアに配置された前記既知信号と前記送信信号とを同一時刻に送信する送信手段と、を具備することを特徴とするＯＦＤＭ−ＣＤＭＡ方式送信装置。
【請求項２】
前記拡散手段は、信号レベルを送信信号より高くした前記既知信号に対して拡散処理を行うことを特徴とする請求項１記載のＯＦＤＭ−ＣＤＭＡ方式送信装置。
【請求項３】
複数の送信信号及び既知信号が異なる拡散符号を用いて所定の拡散率で拡散処理された後、複数のチップに分解された前記既知信号が周波数分割多重されることにより周波数軸方向に配列された前記拡散率と同じ数の各サブキャリアに配置されるとともに前記複数の送信信号が周波数分割多重されることにより各サブキャリアに配置された信号を受信する受信手段と、前記受信手段にて受信された信号に対して所定の拡散符号を用いた逆拡散処理を行うことにより各受信信号を抽出する第１復調手段と、前記受信手段にて受信された信号に対して前記既知信号に割り当てられた拡散符号を用いた逆拡散処理を行うことにより、各チップに分解されるとともに前記送信信号と同一時刻に拡散処理されて送信された受信既知信号を抽出する第２復調手段と、前記既知信号及び前記受信既知信号を用いて残留位相誤差を検出する位相誤差検出手段と、前記残留位相誤差を用いて前記各受信信号に対する位相補償を行う位相補償手段と、を具備することを特徴とするＯＦＤＭ−ＣＤＭＡ方式受信装置。
【請求項４】
請求項１又は請求項２に記載のＯＦＤＭ−ＣＤＭＡ方式送信装置と、請求項３記載のＯＦＤＭ−ＣＤＭＡ方式受信装置とを具備することを特徴とする通信端末装置。
【請求項５】
請求項４記載の通信端末装置と無線通信を行うことを特徴とする基地局装置。
【請求項６】
複数の送信信号に対してそれぞれ異なる拡散符号を用いた拡散処理を行う第１拡散工程と、既知信号に対して前記拡散符号と異なる拡散符号を用いて所定の拡散率で拡散処理を行う第２拡散工程と、前記第２拡散工程にて拡散処理された前記既知信号を複数のチップに分解した後に周波数分割多重することにより各チップに分解された前記既知信号を周波数軸方向に配列された前記拡散率と同じ数の各サブキャリアに配置するとともに、前記第１拡散工程により拡散処理された前記送信信号を周波数分割多重することにより各サブキャリアに配置する周波数分割多重工程と、前記周波数分割多重工程にて各サブキャリアに配置された前記既知信号と前記送信信号とを同一時刻に送信する送信工程と、を具備することを特徴とする送信方法。
【請求項７】
複数の送信信号及び既知信号が、それぞれ異なる拡散符号を用いて所定の拡散率で拡散処理された後、複数のチップに分解された前記既知信号が周波数分割多重されることにより周波数軸方向に配列された前記拡散率と同じ数の各サブキャリアに配置されるとともに、前記複数の送信信号が周波数分割多重されることにより各サブキャリアに配置された信号を受信する受信工程と、前記受信工程にて受信された信号に対して前記既知信号に割り当てられた拡散符号を用いた逆拡散処理を行うことにより、各チップに分解されるとともに前記送信信号と同一時刻に拡散処理されて送信された受信既知信号を抽出する復調工程と、前記既知信号及び前記受信既知信号を用いて残留位相誤差を検出する位相誤差検出工程と、前記残留位相誤差を用いて前記各受信信号に対する位相補償を行う位相補償工程と、を具備することを特徴とする受信方法。
【発明の詳細な説明】
【０００１】
【発明の属する技術分野】
本発明は、通信装置に関し、特に移動体通信においてＣＤＭＡにＯＦＤＭを組み合わせた無線通信を行う通信装置に関する。
【０００２】
【従来の技術】
ＣＤＭＡ方式の通信では、マルチパス環境下で拡散符号間干渉を生じ、誤り率特性が劣化する。一方、耐符号間干渉に強い通信方式としては、ガードインターバルを用いるＯＦＤＭ通信が知られている。そこで、ＣＤＭＡ方式の通信をマルチキャリア化し、各チップにサブキャリアを割り当てて周波数分割多重し送信するＯＦＤＭ−ＣＤＭＡ方式の無線通信が次世代の方式として注目されている。
【０００３】
ＯＦＤＭ−ＣＤＭＡ方式の通信では、複数の信号をそれぞれ無相関な拡散符号を用いて拡散し、一つのサブキャリアに一拡散信号を割り当てる。拡散符号が完全に直交していれば、信号をいくら多重しても必要な信号以外は、受信時の逆拡散処理により完全に除去される。
【０００４】
以下、図６を用いて、従来のＯＦＤＭ−ＣＤＭＡ方式の通信装置について説明する。図６は、従来のＯＦＤＭ−ＣＤＭＡ方式の通信装置の構成を示すブロック図である。
【０００５】
図６に示す送信系において、各拡散部６０１は、送信信号１〜送信信号ｎに対して、それぞれ拡散符号１〜ｎを乗じ、拡散処理を行う。ここでは、拡散率をｋとする。
【０００６】
加算部６０２は、拡散処理された各送信信号を加算する。シリアル・パラレル（Ｓｅｒｉａｌ−Ｐａｒａｌｌｅｌ；Ｓ／Ｐ）変換器６０３は、一系列の信号を複数系列に変換する。このＳ／Ｐ変換器６０３は、ここでは、加算された拡散処理後の各送信信号を拡散信号毎に分け、拡散処理後の送信信号１〜送信信号ｎを拡散信号（チップ）毎に、すなわち第１チップ〜第ｋチップに分解する。
【０００７】
ＩＦＦＴ処理部６０４は、複数系列の信号に対して逆フーリエ変換処理を行う。このＩＦＦＴ処理部６０４は、ここでは、１つのチップデータ信号列に１つのサブキャリアを割り当て、周波数分割多重処理する。
【０００８】
すなわち、サブキャリア数は、拡散率と一致し、ここではｋ本である。なお、サブキャリア１には送信信号１〜送信信号ｎの第１チップを配置し、サブキャリアｋには送信信号１〜送信信号ｎの第ｋチップを配置するものとする。すなわち、チップデータ列を周波数分割多重する。この態様を図７に示す。アンテナ６０５は、無線信号の送受信を行う。
【０００９】
受信系において、直交検波部６０６は、アンテナ６０５からの受信信号に対して、直交検波処理を行う。すなわち、直交検波部６０６は、後述する周波数オフセット補正部６０７からの周波数オフセット補正がなされたローカル信号により制御されて、受信信号に対する直交検波処理を行う。これにより、周波数オフセットの補正がなされる。
【００１０】
周波数オフセット補正部６０７は、直交検波処理後の信号を用いて周波数オフセットを検出し、この周波数オフセットに基づいてローカル信号を生成する。すなわち、周波数オフセット補正部６０７は、周波数オフセット補正がなされたローカル信号を直交検波部６０６に出力する。
【００１１】
ＦＦＴ処理部６０８は、直交検波処理後の受信信号に対してフーリエ変換処理を行うことにより、各サブキャリア信号（チップデータ信号列）を取り出す。各伝送路補償部６０９は、サブキャリア毎に設けられ、各サブキャリア受信信号に対して位相補償等の補償処理を行う。
【００１２】
パラレル・シリアル（Ｐａｒａｌｌｅｌ−Ｓｅｒｉａｌ；Ｐ／Ｓ）変換器６１０は、複数系列信号を一系列の信号に変換する。このＰ／Ｓ変換器６１１は、ここでは、各サブキャリアの信号を一チップずつ並び替え、時刻ｔ1において、拡散処理されて送信された信号１〜ｎを多重した信号の１番目のチップを出力し、時刻ｔ2において、拡散処理されて送信された信号１〜ｎを多重した信号の２番目のチップを出力し、以下同様に、時刻ｔkにおいて、拡散処理されて送信された信号１〜ｎを多重した信号のｋ番目のチップを出力する。
【００１３】
各逆拡散部６１１は、一系列の信号に変換された受信信号にそれぞれ拡散符号１〜拡散符号ｎを乗じ、そのコードで拡散された信号のみを取り出す逆拡散処理を行う。
【００１４】
【発明が解決しようとする課題】
しかしながら、上記従来のＯＦＤＭ−ＣＤＭＡ方式の通信装置においては、以下に示す問題がある。すなわち、上述した周波数オフセット補正部６０７により検出された周波数オフセットに検出誤差が含まれる場合には、ＦＦＴ処理後の受信信号は、残留位相誤差を含んだものとなる。
【００１５】
このため、上記ＦＦＴ処理後の受信信号は、位相回転を含んだものとなる。例えば、図８に示すように、周波数オフセットにΔｆの検出誤差が含まれる場合には、２番目の送信信号１〜送信信号ｎに対応する第１チップから第ｋチップは、２πΔｆＴだけ残留位相誤差を含んだものとなり、３番目の送信信号１〜送信信号ｎに対応する第１チップから第ｋチップは、２πΔｆ２Ｔだけ残留位相誤差を含んだものとなる。ただし、Ｔは拡散処理前の信号伝送速度である。
【００１６】
したがって、上記のような残留位相誤差を含んだ信号から得られる受信信号は、誤り率特性が劣化したものとなる。
【００１７】
本発明は、かかる点に鑑みてなされたものであり、残留位相誤差を補償することができるＯＦＤＭ−ＣＤＭＡ方式の通信装置を提供することを目的とする。
【００１８】
【課題を解決するための手段】
本発明のＯＦＤＭ−ＣＤＭＡ方式送信装置は、複数の送信信号に対してそれぞれ異なる拡散符号を用いた拡散処理を行う第１拡散手段と、既知信号に対して前記拡散符号と異なる拡散符号を用いて所定の拡散率で拡散処理を行う第２拡散手段と、前記第２拡散手段により拡散処理された前記既知信号を複数のチップに分解した後に周波数分割多重することにより各チップに分解された前記既知信号を周波数軸方向に配列された前記拡散率と同じ数の各サブキャリアに配置するとともに、前記第１拡散手段により拡散処理された前記送信信号を周波数分割多重することにより各サブキャリアに配置する周波数分割多重手段と、前記周波数分割多重手段にて各サブキャリアに配置された前記既知信号と前記送信信号とを同一時刻に送信する送信手段と、を具備する構成を採る。
【００１９】
本発明によれば、複数の送信信号とは別に用意された既知信号に対して、この既知信号に割り当てられた拡散符号を用いた拡散処理を行い、拡散処理後の各送信信号および既知信号を各搬送波に挿入した信号を送信するので、この信号を受信する通信装置は、上記既知信号および受信した信号から得られた受信既知信号を用いて、残留位相誤差を検出することができる。
【００２０】
本発明のＯＦＤＭ−ＣＤＭＡ方式送信装置は、前記拡散手段は、信号レベルを送信信号より高くした前記既知信号に対して拡散処理を行う構成を採る。
【００２１】
本発明によれば、既知信号の信号レベルをその他の送信信号より高くすることにより、受信側装置においては、上記既知信号の受信時における信号電力対雑音電力比が向上するので、位相誤差検出精度が向上する。よって、上記受信側装置においては、各受信信号の誤り率特性の劣化が抑えられる。
【００２２】
本発明のＯＦＤＭ−ＣＤＭＡ方式受信装置は、複数の送信信号及び既知信号が異なる拡散符号を用いて所定の拡散率で拡散処理された後、複数のチップに分解された前記既知信号が周波数分割多重されることにより周波数軸方向に配列された前記拡散率と同じ数の各サブキャリアに配置されるとともに前記複数の送信信号が周波数分割多重されることにより各サブキャリアに配置された信号を受信する受信手段と、前記受信手段にて受信された信号に対して所定の拡散符号を用いた逆拡散処理を行うことにより各受信信号を抽出する第１復調手段と、前記受信手段にて受信された信号に対して前記既知信号に割り当てられた拡散符号を用いた逆拡散処理を行うことにより、各チップに分解されるとともに前記送信信号と同一時刻に拡散処理されて送信された受信既知信号を抽出する第２復調手段と、前記既知信号及び前記受信既知信号を用いて残留位相誤差を検出する位相誤差検出手段と、前記残留位相誤差を用いて前記各受信信号に対する位相補償を行う位相補償手段と、を具備する構成を採る。
【００２３】
本発明によれば、既知信号およびこの既知信号に割り当てられた拡散符号での逆拡散処理により得られた受信既知信号を用いて、残留位相誤差を検出し、各拡散符号での逆拡散処理により得られた受信信号に対して、検出された残留位相誤差を用いた補償処理を行うことにより、良好な誤り率特性を有する受信信号を取り出すことができる。これにより、残留位相誤差を補償することができる通信装置を提供することができる。
【００２４】
本発明の通信端末装置は、上記いずれかのＯＦＤＭ−ＣＤＭＡ方式送信装置と、上記ＯＦＤＭ−ＣＤＭＡ方式受信装置とを具備することを特徴とする。
【００２５】
本発明によれば、残留位相誤差を補償することができる通信装置を搭載することにより、良好な通信を行うことが可能な通信端末装置を提供することができる。
【００２６】
本発明の基地局装置は、上記通信端末装置と無線通信を行うことを特徴とする。
【００２７】
本発明によれば、残留位相誤差を補償することができる通信装置を搭載した通信端末装置と無線通信を行うことにより、良好な通信を行うことが可能な基地局装置を提供することができる。
【００２８】
本発明の送信方法は、複数の送信信号に対してそれぞれ異なる拡散符号を用いた拡散処理を行う第１拡散工程と、既知信号に対して前記拡散符号と異なる拡散符号を用いて所定の拡散率で拡散処理を行う第２拡散工程と、前記第２拡散工程にて拡散処理された前記既知信号を複数のチップに分解した後に周波数分割多重することにより各チップに分解された前記既知信号を周波数軸方向に配列された前記拡散率と同じ数の各サブキャリアに配置するとともに、前記第１拡散工程により拡散処理された前記送信信号を周波数分割多重することにより各サブキャリアに配置する周波数分割多重工程と、前記周波数分割多重工程にて各サブキャリアに配置された前記既知信号と前記送信信号とを同一時刻に送信する送信工程と、を具備するようにした。
【００２９】
本発明によれば、複数の送信信号とは別に用意された既知信号に対して、この既知信号に割り当てられた拡散符号を用いた拡散処理を行い、拡散処理後の各送信信号および既知信号を各搬送波に挿入した信号を送信するので、この信号を受信する通信装置は、上記既知信号および受信した信号から得られた受信既知信号を用いて、残留位相誤差を検出することができる。
【００３０】
本発明の受信方法は、複数の送信信号及び既知信号が、それぞれ異なる拡散符号を用いて所定の拡散率で拡散処理された後、複数のチップに分解された前記既知信号が周波数分割多重されることにより周波数軸方向に配列された前記拡散率と同じ数の各サブキャリアに配置されるとともに、前記複数の送信信号が周波数分割多重されることにより各サブキャリアに配置された信号を受信する受信工程と、前記受信工程にて受信された信号に対して前記既知信号に割り当てられた拡散符号を用いた逆拡散処理を行うことにより、各チップに分解されるとともに前記送信信号と同一時刻に拡散処理されて送信された受信既知信号を抽出する復調工程と、前記既知信号及び前記受信既知信号を用いて残留位相誤差を検出する位相誤差検出工程と、前記残留位相誤差を用いて前記各受信信号に対する位相補償を行う位相補償工程と、を具備するようにした。
【００３１】
本発明によれば、既知信号およびこの既知信号に割り当てられた拡散符号での逆拡散処理により得られた受信既知信号を用いて、残留位相誤差を検出し、各拡散符号での逆拡散処理により得られた受信信号に対して、検出された残留位相誤差を用いた補償処理を行うことにより、良好な誤り率特性を有する受信信号を取り出すことができる。これにより、残留位相誤差を補償することができる通信装置を提供することができる。
【００３２】
【発明の実施の形態】
本発明の骨子は、送信系において、各送信信号とは別に用意された既知信号に対して、この既知信号に割り当てられた拡散符号を用いた拡散処理を行い、拡散処理後の各送信信号および既知信号を各サブキャリアに挿入するようにしたことであり、さらに、受信系において、上記拡散符号による逆拡散処理から得られた受信既知信号および上記既知信号を用いて残留位相誤差を検出し、検出した残留位相誤差を用いて、各受信信号に対する補償処理を行うようにしたことである。
【００３３】
以下、本発明の実施の形態について、図面を参照して詳細に説明する。
【００３４】
（実施の形態１）
図１は、本発明の実施の形態１に係るＯＦＤＭ−ＣＤＭＡ方式の通信装置の構成を示すブロック図である。図１に示す送信系において、各拡散部１０１は、送信信号１〜送信信号ｎに対して、それぞれ拡散符号１〜拡散符号ｎを乗ずることにより、拡散処理を行う。拡散部１０２は、既知信号に対して既知信号用拡散符号を乗ずることにより、拡散処理を行う。ここでは、拡散率をｋとする。
【００３５】
加算部１０３は、各拡散部により拡散処理された送信信号および既知信号を多重する。Ｓ／Ｐ変換器１０４は、多重された拡散処理後の送信信号および既知信号を拡散信号毎に分け、拡散処理後の送信信号１〜送信信号ｎおよび既知信号を拡散信号毎に分解する。すなわち、Ｓ／Ｐ変換器１０４は、拡散処理後の送信信号１〜送信信号ｎおよび既知信号を第１チップ〜第ｋチップに分解する。
【００３６】
ＩＦＦＴ処理部１０５は、複数系列の信号に対して逆フーリエ変換処理を行う。ここでは、ＩＦＦＴ処理部１０５は、１つのチップデータ信号列に１サブキャリア（搬送波）を割り当てることにより、周波数分割多重処理を行う。すなわち、サブキャリア数は、拡散率と一致し、ここではｋ本である。なお、ＩＦＦＴ処理部１０５は、サブキャリア１には、送信信号１〜送信信号ｎおよび既知信号の第１チップを配置し、サブキャリアｋには送信信号１〜送信信号ｎおよび既知信号の第ｋチップを配置するものとする。言い換えれば、ＩＦＦＴ処理部１０５は、チップデータ列を周波数分割多重する。この態様を図２に示す。
【００３７】
アンテナ１０６は、無線信号の送受信を行う。受信系において、ＦＦＴ処理部１０７は、アンテナ１０６からの受信信号に対してフーリエ変換処理を行い、各サブキャリア信号（チップデータ信号列）を取り出す。なお、ＦＦＴ処理部１０７に送られる受信信号としては、上述した従来方式の周波数オフセット補正がなされたものであってもよい。
【００３８】
各伝送路補償部１０８は、サブキャリア毎に設けられ、各サブキャリア受信信号に対して位相補償等の補償処理を行う。Ｐ／Ｓ変換器１０９は、複数系列信号を一系列の信号に変換する。このＰ／Ｓ変換器１０９は、ここでは、各サブキャリアの信号を１チップずつ並び替え、時刻ｔ1において、拡散処理されて送信された信号１〜信号ｎおよび既知信号を多重した信号の第１チップを出力し、時刻ｔ2において、拡散処理されて送信された信号１〜信号ｎおよび既知信号を多重した信号の第２チップを出力し、以下同様に、時刻ｔkにおいて、拡散処理されて送信された信号１〜信号ｎおよび既知信号を多重した信号の第ｋチップを出力する。
【００３９】
各逆拡散部１１０は、一系列の信号に変換された受信信号にそれぞれ拡散符号１〜拡散符号ｎを乗じ、このコードで拡散された信号のみを取り出す逆拡散処理を行う。また、逆拡散部１１１は、一系列の信号に変換された受信信号に既知信号用拡散符号を乗じ、このコードで拡散された既知信号のみを取り出す逆拡散処理を行う。
【００４０】
残留位相誤差検出部１１３は、既知信号すなわち送信系で用いたものと同様の既知信号と、逆拡散部１１１からの逆拡散処理後の信号（受信既知信号）と、を用いて残留位相誤差の検出を行う。ここで、残留位相誤差検出部１１３による残留位相誤差検出方法について、図３を用いて説明する。図３は、本発明の実施の形態１に係るＯＦＤＭ−ＣＤＭＡ方式の通信装置における残留位相誤差検出部の構成を示すブロック図である。
【００４１】
ここでは、逆拡散処理後の信号に残留位相誤差θ（ｎＴ）が存在するものとする。この場合には、逆拡散処理後の信号ＲＸ（ｎＴ）は、次に示す式により表現される。
ＲＸ（ｎＴ）＝ＴＸ（ｎＴ）ｅｘｐ（ｊθ（ｎＴ））      −▲１▼
ただし、ＴＸ（ｎＴ）は、送信信号ｎ（ｎ＝１，２，３，…）である。
【００４２】
また、残留位相誤差θ（ｎＴ）が存在する場合には、逆拡散処理後の既知信号ＲＸＰｉ（ｎＴ）すなわち逆拡散部１１１からの信号は、次に示す式により表現される。
ＲＸＰｉ（ｎＴ）＝Ａ（ｎＴ）Ｐｉ（ｎＴ）ｅｘｐ（ｊθ（ｎＴ））    −▲２▼
ただし、Ａ（ｎＴ）は、既知信号の受信振幅情報であり、Ｐｉ（ｎＴ）は、既知信号である。
【００４３】
図３を参照するに、まず、乗算部３０１において、▲２▼式に示した逆拡散処理後の既知信号ＲＸＰｉ（ｎＴ）に対して、既知信号Ｐｉ（ｎＴ）を乗ずる。これにより、乗算部３０１が出力する信号は、次に示す式により表現される。ただし、｜ＲＸＰｉ（ｎＴ）｜＝１とする。
Ａ（ｎＴ）Ｐｉ（ｎＴ）ｅｘｐ（ｊθ（ｎＴ））Ｐｉ（ｎＴ）
＝Ａ（ｎＴ）ＲＸＰｉ（ｎＴ）2ｅｘｐ（ｊθ（ｎＴ））
＝Ａ（ｎＴ）ｅｘｐ（ｊθ（ｎＴ））    ―▲３▼
【００４４】
次いで、除算部３０２において、乗算部３０１からの信号すなわち▲３▼式に示した信号に対して、包絡線生成部３０３からの受信振幅情報Ａ（ｎＴ）を用いて、正規化を行う。これにより、除算部３０２からは、次に示す式により表現される残留位相誤差が検出される。
Ａ（ｎＴ）ｅｘｐ（ｊθ（ｎＴ））／Ａ（ｎＴ）
＝ｅｘｐ（ｊθ（ｎＴ））    −▲４▼
【００４５】
さらに、共役生成部３０４において、除算部３０２からの信号すなわち▲４▼式に示した信号の共役複素数を生成する。これにより、残留位相誤差の共役複素数ｅｘｐ（−ｊθ（ｎＴ））が生成される。以上が残留位相誤差検出部１１３による残留位相誤差検出方法である。
【００４６】
再度、図１を参照するに、残留位相誤差検出部１１３は、検出した残留位相誤差の共役複素数を各位相補償部１１２に出力する。各位相補償部１１２は、上記残留位相誤差の共役複素数を用いて、各逆拡散部１１０からの逆拡散処理後の受信信号に対する残留位相誤差の補償を行う。ここで、各位相補償部１１２による残留位相誤差の補償方法について、図４を用いて説明する。図４は、本発明の実施の形態１に係るＯＦＤＭ−ＣＤＭＡ方式の通信装置における位相補償部の構成を示すブロック図である。
【００４７】
図４に示すように、乗算部４０１において、各逆拡散処理後の受信信号ＲＸ（ｎＴ）に対して、残留位相誤差の共役複素数ｅｘｐ（−ｊθ（ｎＴ））を乗ずる。これにより、乗算部４０１からは、次の式に示すように、残留位相誤差が補償された受信信号が得られる。
ＲＸ（ｎＴ）＝ＴＸ（ｎＴ）ｅｘｐ（ｊθ（ｎＴ））ｅｘｐ（−ｊθ（ｎＴ））            ＝ＴＸ（ｎＴ）      −▲５▼
すなわち、各位相補償部１１２からは、残留位相誤差が補償された受信信号として、送信系における各送信信号と略等価な信号が出力される。以上が、各位相補償部１１２による残留位相誤差の補償方法である。
【００４８】
このように、本実施の形態によれば、送信系において、各送信信号とは別に用意された既知信号に対して、この既知信号に割り当てられた拡散符号を用いた拡散処理を行い、拡散処理後の既知信号および各送信信号を各サブキャリアに挿入する一方、受信系において、上記既知信号および上記拡散符号での逆拡散処理により得られた受信既知信号を用いて残留位相誤差を検出し、また、各拡散符号で逆拡散処理を施すことにより得られた受信信号に対して、検出された残留位相誤差を用いた補償処理を行うことにより、良好な誤り率特性を有する受信信号を取り出すことができる。これにより、残留位相誤差を補償することができるＯＦＤＭ−ＣＤＭＡ方式の通信装置を提供することができる。
【００４９】
なお、本実施の形態においては、送信系において既知参照信号を１つ用いる場合について説明したが、本発明は、これに限定されず、送信系において既知参照信号を２つ以上用いる場合にも適用可能なものである。この場合には、受信系において、各既知参照信号を用いて検出した残留位相誤差を平均化することにより、残留位相誤差検出精度をさらに向上させることができる。
【００５０】
（実施の形態２）
実施の形態２は、実施の形態１において、送信系において既知信号の信号レベルを他の送信信号より高くし、受信系における上記既知信号受信時の信号電力対雑音電力比を向上させることにより、位相誤差検出精度を向上させてさらに各受信信号の誤り率特性の劣化を防ぐようにした形態である。以下、本実施の形態に係るＯＦＤＭ−ＣＤＭＡ方式の通信装置について、図５を用いて説明する。
【００５１】
図５は、本発明の実施の形態２に係るＯＦＤＭ−ＣＤＭＡ方式の通信装置の構成を示すブロック図である。なお、同図における実施の形態１（図１）と同様の構成については、同一符号を付して詳しい説明を省略する。
【００５２】
図５において、乗算部５０１は、利得に関する情報および既知信号を入力し、この既知信号に対して上記利得を表す係数を乗算した信号を、拡散部１０２に出力する。これにより、受信系においては、上記既知信号の受信時における信号電力対雑音電力比が向上するので、残留位相誤差検出部１１３における位相誤差検出精度が向上する。よって、実施の形態１に比べてさらに各受信信号の誤り率特性の劣化を抑えることができる。
【００５３】
このように、本実施の形態によれば、送信系における既知信号の信号レベルを他の送信信号より高くすることにより、受信系における各受信信号の誤り率特性の劣化を防止することができる。
【００５４】
なお、既知参照信号を２つ以上用いる場合には、送信系において各既知参照信号の信号レベルを上記のように高くすることはいうまでもない。これにより、残留位相誤差検出精度をさらに向上させることができるので、受信系における各受信信号の誤り率特性の劣化を防止することができる。
【００５５】
【発明の効果】
以上説明したように、本発明によれば、送信系において、各送信信号とは別に用意された既知信号に対して、この既知信号に割り当てられた拡散符号を用いた拡散処理を行い、拡散処理後の各送信信号および既知信号を各サブキャリアに挿入し、さらに、受信系において、上記拡散符号による逆拡散処理から得られた受信既知信号および上記既知信号を用いて残留位相誤差を検出し、検出した残留位相誤差を用いて、各受信信号に対する補償処理を行うので、残留位相誤差を補償することができるＯＦＤＭ−ＣＤＭＡ方式の通信装置を提供することができる。
【図面の簡単な説明】
【図１】本発明の実施の形態１に係るＯＦＤＭ−ＣＤＭＡ方式の通信装置の構成を示すブロック図
【図２】上記実施の形態に係るＯＦＤＭ−ＣＤＭＡ方式の通信装置におけるサブキャリア配置の一例を示す模式図
【図３】上記実施の形態に係るＯＦＤＭ−ＣＤＭＡ方式の通信装置における残留位相誤差検出部の構成を示すブロック図
【図４】上記実施の形態に係るＯＦＤＭ−ＣＤＭＡ方式の通信装置における位相補償部の構成を示すブロック図
【図５】本発明の実施の形態２に係るＯＦＤＭ−ＣＤＭＡ方式の通信装置の構成を示すブロック図
【図６】従来のＯＦＤＭ−ＣＤＭＡ方式の通信装置の構成を示すブロック図
【図７】従来のＯＦＤＭ−ＣＤＭＡ方式の通信装置におけるサブキャリア配置の一例を示す模式図
【図８】従来のＯＦＤＭ−ＣＤＭＡ方式の通信装置における受信信号に含まれた位相回転量を示す模式図
【符号の説明】
１０１，１０２  拡散部
１０３  加算部
１０４  Ｓ／Ｐ変換器
１０５  ＩＦＦＴ処理部
１０６  アンテナ
１０７  ＦＦＴ処理部
１０８  伝送路補償部
１０９  Ｐ／Ｓ変換器
１１０，１１１  逆拡散部
１１２  位相補償部
１１３  残留位相誤差検出部
【図１】
0003715141.tif 000002
【図２】
0003715141.tif 000003
【図３】
0003715141.tif 000004
【図４】
0003715141.tif 000005
【図５】
0003715141.tif 000006
【図６】
0003715141.tif 000007
【図７】
0003715141.tif 000008
【図８】
0003715141.tif 000009